(57)【特許請求の範囲】
【請求項１】
室内を暖めるヒータがケースに収納され、このケースが壁に固定されて用いられる暖房機であって、
前記ケースは、前記壁に固定された平面状の第１面部と、この第１面部の上端又は下端のいずれか一端から前記室内側に延びる平面状の第２面部と、この第２面部の先端から前記第１面部の上端又は下端のいずれか他端まで延びる第３面部と、を有し、
前記第３面部は、前記第２面部の先端から前記第１面部の他端までを結んだ面に対して膨出する曲面によって構成されると共に、前記ヒータが臨む開口が形成され、
前記ヒータを保護する保護部材が前記開口に設けられ、
前記保護部材は、少なくとも一部に、前記第３面部の一般面を基準として前記開口から膨出する保護部材膨出部を有し、
前記ケースを側方から見た状態を基準として、前記暖房機の重心から前記第３面部を最短距離で結んだ線の前記第３面部側の端部を境界点とした場合に、前記ヒータは、前記境界点に対してオフセットして配置されており、
前記保護部材膨出部の端部は、前記境界点と前記ヒータとの間に位置していることを特徴とする暖房機。
【発明の詳細な説明】
【技術分野】
【０００１】
本発明は、壁に固定されて用いられる暖房機に関する。
【背景技術】
【０００２】
室内を暖める暖房機には、壁に固定されて用いられる壁掛型の暖房機がある。壁掛型暖房機に関する従来技術として特許文献１に開示される技術がある。
【０００３】
特許文献１に開示された暖房機は、室内を暖めるヒータと、ヒータの熱を室内に向けて反射する反射板と、室内の空気の吸入及び送風を行うファンとが、ケースに収納されて構成されている。ケースは、五角形状の筒体からなる。ケースの背面は、壁に固定されている。ケースの下面部には、室内の空気を吸い込む吸入口が形成され、ケースの斜め下方を向く面の部位には、ヒータが臨む開口が形成されている。
【０００４】
この暖房機は、浴室の出入口の上方に設けられる。室温が低い場合であっても、出入り口付近での脱衣作業が快適となる。
【０００５】
ところで、地震等の災害が起きた場合、例えば、建物の倒壊に伴って暖房機が落下する場合も想定される。このとき、暖房機のケースの外形となる５つの面のうち、ヒータが設けられた開口が形成された面が床面に接触することが考えられる。ヒータが床面の近くに位置すると、床面が加熱され、床面の高温となる虞がある。
【先行技術文献】
【特許文献】
【０００６】
【特許文献１】特開２００１−３５５８６６号公報
【発明の概要】
【発明が解決しようとする課題】
【０００７】
本発明は、暖房機の落下により、ヒータに近い面部が床面に接触したときに、ヒータによる床面の加熱を抑制する技術の提供を課題とする。
【課題を解決するための手段】
【０００８】
請求項１による発明によれば、室内を暖めるヒータがケースに収納され、このケースが壁に固定されて用いられる暖房機であって、
前記ケースは、前記壁に固定された平面状の第１面部と、この第１面部の上端又は下端のいずれか一端から前記室内側に延びる平面状の第２面部と、この第２面部の先端から前記第１面部の上端又は下端のいずれか他端まで延びる第３面部と、を有し、
前記第３面部は、前記第２面部の先端から前記第１面部の他端までを結んだ面に対して膨出する曲面によって構成されると共に、前記ヒータが臨む開口が形成され、
前記ヒータを保護する保護部材が前記開口に設けられ、
前記保護部材は、少なくとも一部に、前記第３面部の一般面を基準として前記開口から膨出する保護部材膨出部を有し、
前記ケースを側方から見た状態を基準として、前記暖房機の重心から前記第３面部を最短距離で結んだ線の前記第３面部側の端部を境界点とした場合に、前記ヒータは、前記境界点に対してオフセットして配置されており、
前記保護部材膨出部の端部は、前記境界点と前記ヒータとの間に位置していることを特徴とする暖房機が提供される。
【発明の効果】
【００１０】
請求項１に係る発明では、ヒータを収納する暖房機のケースは、第１面部、第２面部及び第３面部とからなり、第３面部は、膨出する曲面によって構成されると共に、ヒータが臨む開口が形成されている。ケースを側方から見た状態を基準として、暖房機の重心から第３面部を最短距離で結んだ線の第３面部側の端部を境界点とした場合に、ヒータは、境界点に対してオフセットして配置されている。
【００１１】
暖房機が落下した場合、ケースの第３面部が床面に接触する場合がある。第３面部は、曲面であるため、暖房機の重心から第３面部を最短距離で結んだ線の第３面部側の端部を境界点とした場合、第３面部のなかの境界点が、床面と接触する。ところで、ヒータは、境界点に対してオフセットして配置されている。即ち、ヒータは、第３面部のなかの床面に接触する点を避けて配置されている。ヒータは、床面から離れた部位に位置するため、床面が高温となることを抑制できる。
【００１２】
加えて、ヒータを保護する保護部材が開口に設けられ、保護部材は、少なくとも一部に、第３面部の一般面を基準として開口から膨出する保護部材膨出部を有している。ケースを側方から見た状態を基準として、保護部材膨出部の端部は、境界点とヒータとの間に位置している。
【００１３】
即ち、境界点を基準とすると、ヒータが配置された側には、第３面部の一般面よりも膨出する保護部材膨出部が位置する。そのため、第３面部が床面に対向する場合、境界点の近傍に位置する保護部材膨出部の端部と、第３面部の一部とが、それぞれ、床面に接触する。仮に、保護部材膨出部がない場合、第３面部のなかの境界点１点のみが床面に接触する。そのため、暖房機は、第１面部側又は第２面部側に傾いて、ヒータが床面に近づくおそれがある。一方、保護部材膨出部があれば、保護部材膨出部と第３面部との２点が床面に接触する。暖房機は、傾きにくくなり、ヒータと床面との間には一定の間隔が保たれやすくなる。ヒータと床面との間隔が保たれるため、床面が高温となることを抑制できる。
【図面の簡単な説明】
【００１４】
【図１】本発明の実施例による暖房機の正面図である。
【図２】図１の２−２線断面図である。
【図３】図２に示された暖房機が床に落下した状態を説明する図である。
【図４】図２に示された暖房機の作用図である。
【図５】保護部材膨出部の有無の対比を説明する図である。
【発明を実施するための形態】
【００１５】
本発明の実施の形態を添付図に基づいて以下に説明する。なお、説明中、上下とは、床面に近づく方向を下方、床面から離れる方向を上方とする。また、図中、Ｕｐは上、Ｄｎは下を示している。
＜実施例＞
【００１６】
図１を参照する。図１には、室内Ｒの壁Ｗに掛けられる壁掛型暖房機１０（以下、暖房機１０とする）が示されている。暖房機１０は、室内Ｒを暖める第１,第２ヒータ１１,１２（図２参照）がケース１３に収納されている。ケース１３の両側方には、室内Ｒの空気を吸入する吸入口１４,１４（左側の吸入口１４のみが示されている。）が設けられている。吸入口１４,１４は、それぞれ、フィルタ１５を有する側面部１６（左側の側面部１６のみが示されている）で覆われる。ケース１３の前面には、ヒータ１１,１２を保護する網板１７が取り付けられている。
【００１７】
図１，図２を参照する。ケース１３は、壁Ｗに固定されるケース本体２１と、このケース本体２１の上部に設けられるサブケース２２と、ケース本体２１及びサブケース２２を覆う前カバー２３とからなる。
【００１８】
ケース本体２１は、室内Ｒ側に開く半割筒部２５ａを備えている。サブケース２２は、壁Ｗ側に開く半割筒部２５ｂと、前面に複数のリブ２６とを備えている。リブ２６の先端には、第１,第２ヒータ１１,１２及び後述するファンモータ２８を制御する制御基板５１が取り付けられている。この制御基板５１は、サブケース２２と前カバー２３との間に配置されている。
【００１９】
半割筒部２５ａ,２５ｂにより囲まれる領域は、吸入口１４,１４から吸入された空気が通過する導風トンネル２５を構成する。この導風トンネル２５には、送風ファン２７と、この送風ファン２７を駆動するファンモータ２８が設けられる。
【００２０】
ケース１３の前面には、開口３１が形成されている。この開口は、前カバー２３の下方に位置し、壁Ｗに沿って水平方向に延びる２本の第１,第２ヒータ１１,１２が臨んでいる。さらに、開口３１には、開口３１内の熱気の温度を測り異常過熱の有無を検知する温度センサ３２が設けられている。温度センサ３２は、温度信号を発することができれば、種類は問わない。温度センサ３２として半導体センサの一種であるサーミスター、金属抵抗温度センサ、熱電対、サーモスタットが採用できる。
【００２１】
開口３１には、第１,第２ヒータ１１,１２よりも壁Ｗ側において、断面視でＷ字を呈する反射板３３が設けられている。反射板３３の中央には、導風トンネル２５を通過した空気が吹き出される空気吹き出し口３５が空けられている。さらに、第１,第２ヒータ１１,１２よりも室内Ｒ側には、第１,第２ヒータ１１,１２を保護すると共に、開口３１を塞ぐ網板１７（保護部材１７）が設けられている。
【００２２】
次に、側方からみた暖房機１０について説明する。ケース本体２１は壁Ｗに沿う平面状の背面部４１（第１面部４１）を有する。前カバー２３は、ケース本体２１及びサブケース２２の上方を覆う天板部４２（第２面部４２）と、サブケース２２の室内Ｒ側の面を覆う前面部４３と、からなる。天板部４２は、下方に向かって傾斜している。
【００２３】
天板部４２の先端４２ａから背面部４１の下端４１ａの間を延びる面を第３面部４４とする。即ち、第３面部４４は、サブケース２２の前面部４３と、この前面部４３の下方に位置する網板１７と、からなる。前面部４３及び網板１７は、それぞれ、膨出する曲面によって構成されている。
【００２４】
換言すると、暖房機１０の外形は、背面部４１と、天板部４２と、前面部４３と、網板１７と、からなる。
【００２５】
ケース１３を側方から見た状態を基準として、暖房機１０の重心Ｇから第３面部４４を最短距離で結んだ直線Ｌの第３面部４４側の端部を境界点Ｐとする。第１,第２ヒータ１１,１２及び網板１７は、境界点Ｐに対してオフセットして配置されている。
【００２６】
詳細には、第１,第２ヒータ１１,１２及び網板１７は、境界点Ｐに対して背面部４１（第１面部４１）側にオフセットして配置されている。一方、制御基板５１は、境界点Ｐに対して天板部４２（第２面部４２）側にオフセットして配置されている。
【００２７】
なお、第１,第２ヒータ１１,１２及び網板１７と、制御基板５１とは、入れ替えて配置されてもよい。さらに、本実施例では、暖房機１０重心Ｇと、暖房機１０を構成する部品のなかで最も重いファンモータ２８の重心との位置は一致しているが、これらの位置は一致する場合に限られない。
【００２８】
網板１７（保護部材１７）は、第３面部４４の一般面を基準として、開口３１から膨出する膨出部１８（保護部材膨出部１８）を有している。ケース１３を側方から見た状態を基準として、膨出部１８の端部１８ａは、境界点Ｐと第１,第２ヒータ１１,１２との間に位置している
【００２９】
温度センサ３２は、直線Ｌが延びる方向を基準として、第１,第２ヒータ１１,１２よりも、壁Ｗ側に設けられている。
【００３０】
第１ヒータ１１から輻射熱線が室内へ直接照射されるほか、反射板３３に反射した反射熱線が室内へ照射される。第２ヒータ１２も同様である。加えて、反射板３３と開口３１との隙間、及び、空気吹き出し口３５からは、室内に向かって空気が吹き出す。第１,第２ヒータ１１,１２の壁Ｗ側の過熱が防止される。
【００３１】
次に本発明の作用及び効果について説明する。
【００３２】
図１を参照する。例えば、地震等の災害が起きた場合、壁Ｗに固定されていた暖房機１０が落下する場合が想定される。
【００３３】
図３を参照する。暖房機１０が落下した場合、例えば、背面部４１が床面Ｆに接触する場合（図３（ａ）参照）や、天板部４２が床面Ｆに接触する場合が考えられる（図３（ｂ）参照）。ただし、第１,第２ヒータ１１,１２及び網板１７のいずれも床面Ｆに接触しないため、床面Ｆが加熱される虞はない。
【００３４】
図４を参照する。暖房機１０が落下した場合、第３面部４４が床面Ｆに接触することもある。第３面部４４は、曲面である。そのため、暖房機１０の重心Ｇから第３面部４４を最短距離で結んだ線の第３面部４４側の端部を境界点Ｐとした場合、第３面部４４のなかの境界点Ｐが、床面Ｆと接触する。第１,第２ヒータ１１,１２及び網板１７は、境界点Ｐに対して背面部４１（第１面部４１）側にオフセットして配置されている。即ち、第１,第２ヒータ１１,１２及び網板１７は、第３面部４４のなかの床面Ｆに接触する点を避けて配置されている。第１,第２ヒータ１１,１２及び網板１７は、床面Ｆから離れた部位に位置することとなるため、床面Ｆが高温となることを抑制できる。
【００３５】
加えて、制御基板５１は、境界点Ｐに対して天板部４２（第２面部４２）側にオフセットして配置されている。さらに、制御基板は、サブケース２２と前カバー２３の前面部４３との間に位置している。即ち、第３面部４４が床面Ｆに接触した場合においては、暖房機１０を構成する部品の中で重い部品である制御基板５１が、床面Ｆの近くに位置することとなる。そのため、暖房機１０は、傾きにくくなり、落下したときの状態がより保たれやすくなる。
【００３６】
加えて、温度センサ３２は、直線Ｌが延びる方向基準として、第１,第２ヒータ１１,１２よりも、壁Ｗ側（図２参照）に設けられている。そのため、暖房機が落下し、第３面部４４が床面Ｆに接触した場合、温度センサ３２は、第１,第２ヒータ１１,１２よりも上方に位置する。開口３１内で上昇した熱気は、反射板３３に空けられた空気吹き出し口３５を通過し、温度センサ３２に向かって移動するため、異常加熱を検出しやすくなる。異常加熱が検出されると、第１,第２ヒータ１１,１２への給電が止められる。
【００３７】
図５（ｂ）を参照する。加えて、境界点Ｐを基準とすると、第１,第２ヒータ１１,１２が配置された側には、第３面部４４の一般面よりも膨出する膨出部１８が位置する。膨出部１８は、前カバー２３よりも、膨出している。そのため、第３面部４４が床面Ｆに対向する場合、境界点Ｐの近傍に位置する膨出部１８の端部１８ａと、前カバー２３の前面部４３が、それぞれ、床面Ｆに接触する。
【００３８】
図５（ａ）を参照する。仮に、膨出部１８がなければ、網板５０と前面部４３とで構成される第３面部４４のなかの境界点１点のみが床面Ｆに接触する。そのため、暖房機１００は、背面部４１側又は天板部４２側に傾いて、第１,第２ヒータ１１,１２が床面に近づくおそれがある。一方、図５（ｂ）に示す通り、膨出部１８があれば、膨出部１８の端部１８ａと前面部４３との２点が床面Ｆに接触する。暖房機１０は、傾きにくくなり、第１,第２ヒータ１１,１２と床面Ｆとの間には一定の間隔が保たれやすくなる。ヒータ１１,１２と床面Ｆとの間隔が保たれるため、床面Ｆが高温となることを抑制できる。
【００３９】
尚、本発明の作用及び効果を奏する限りにおいて、本発明は、実施例に限定されるものではない。
【産業上の利用可能性】
【００４０】
本発明は、浴室の脱衣所の壁に掛ける暖房機に好適である。
【符号の説明】
【００４１】
１０…暖房機
１１…ヒータ
１３…ケース
１７…網板（保護部材）
１８…膨出部（保護部材膨出部）
２１…ケース本体
２３…前カバー
３１…開口
３２…温度センサ
４１…背面部（第１面部）
４２…天板部（第２面部）
４３…前面部
４４…第３面部
５１…制御基板
Ｌ…直線
Ｐ…境界点
Ｇ…重心
【図１】
0006611671.tif 000002
【図２】
0006611671.tif 000003
【図３】
0006611671.tif 000004
【図４】
0006611671.tif 000005
【図５】
0006611671.tif 000006